(57)【要約】      （修正有）【課題】形状が変化可能であるとともに安定的に形状を保つことが可能な膨張式装飾システムを提供する。【解決手段】膨張式装飾システム１００が、ラインホールを画定し、かつ膨張ポート１１を備える膨張可能な中空のバッグ本体１０と、バッグ本体の内面に配置され、それぞれが穿孔またはフック部を有する複数の第１固定部と、ライトストリングシステム４０とを含み、ライトストリングシステムの少なくとも一端がラインホールを通ってバッグ本体の外に伸延し、ライトストリングシステムの残りの部分がバッグ本体の内側に配置されて複数の第１固定部間に固定され、これにより、バッグ本体が膨張した後、ライトストリングシステムがバッグ本体内で予め設定された形状に展開する構成とした。【選択図】図１
0003223764.tif 000002
【実用新案登録請求の範囲】
【請求項１】
ラインホールを画定し、かつ膨張ポートを備える膨張可能な中空のバッグ本体と、
前記バッグ本体の内面に配置され、それぞれが穿孔またはフック部を有する複数の第１固定部と、
ライトストリングシステムとを含む、膨張式装飾システムであって、
前記ライトストリングシステムの少なくとも一端が前記ラインホールを通って前記バッグ本体の外に伸延し、前記ライトストリングシステムの残りの部分が前記バッグ本体の内側に配置されて前記複数の第１固定部間に固定され、これにより、前記バッグ本体が膨張した後、前記ライトストリングシステムが前記バッグ本体内で予め設定された形状に展開することを特徴とする膨張式装飾システム。 
【請求項２】
少なくとも１つの中間固定部と、
複数のストリップまたは複数のラインとを備え、
前記複数のストリップまたはラインが、前記少なくとも１つの中間固定部と前記複数の第１固定部との間に接続されるか、または前記複数の第１固定部間に同時に接続されるとともに、前記膨張式装飾システムが複数の中間固定部を備える場合は、前記複数の中間固定部間に同時に接続され、前記バッグ本体が膨張した後、前記複数のストリップまたはラインが前記バッグ本体内で予め設定された第2の形状に展開して前記バッグ本体の最大寸法を制限することを特徴とする請求項１に記載の膨張式装飾システム。
【請求項３】
複数の第２固定部が前記少なくとも１つの中間固定部上に形成され、各第２固定部が穿孔またはフック部を有することを特徴とする請求項２に記載の膨張式装飾システム。
【請求項４】
前記複数のストリップまたはラインの両端にフックが設けられ、前記複数のストリップまたはラインが前記フックによって前記第１の固定部および前記第２の固定部に接続されることを特徴とする請求項３に記載の膨張式装飾システム。
【請求項５】
前記中間固定部が、球体であり、前記複数の第２固定部が前記球体の外面に形成されていることを特徴とする請求項４に記載の膨張可能な装飾システム。
【請求項６】
前記中間固定部が、外面に複数の円環が設けられた球体であり、前記複数の第２固定部は、前記複数の円環上に配置されていることを特徴とする請求項４に記載の膨張可能な装飾システム。
【請求項７】
前記中間固定部が、互いに連結された複数の円環を備え、前記複数の第２固定部は前記複数の円環上に配置されていることを特徴とする請求項４に記載の膨張可能な装飾システム。
【請求項８】
前記中間固定部が、複数の中空部が前記中間固定部に形成されており、前記複数の中空部間のリブが前記複数のストリップまたはラインを固定するために前記複数の第２固定部として用いられることを特徴とする請求項４に記載の膨張可能な装飾システム。
【請求項９】
１つの中間固定部が設けられる場合、各ストリップまたはラインが１つの第１固定部と１つの第２固定部との間に接続され、前記ライトストリングシステムが少なくとも１つの平行なライトストリング／ライトストリップを備え、前記ライトストリング／ライトストリップは、ラインホール内で引き伸ばされた後に１つのストリップまたはラインに沿って中間固定部分に伸延し、他のストリップまたはラインに沿って第１の固定部分の近傍位置まで伸延した後に前記中間固定部分まで折り返し、このようにしてすべてのストリップまたはラインに沿って伸延し、最終的に第１のストリップまたはラインに沿って前記ラインホールに戻り、前記ラインホールから伸延して、花火の爆発状態を形成するようにしたことを特徴とする請求項５に記載の膨張式装飾システム。
【請求項１０】
各ストリップまたはラインに透明ホースを被せて、前記ホース内の前記ストリップまたはライン上に固定された前記ライトストリングシステムの一部を保護することを特徴とする請求項６に記載の膨張可能な装飾システム。
【請求項１１】
１つの中間固定部が設けられている場合、各ストリップまたはラインは１つの第１固定部と１つの第２固定部との間に接続され、前記ライトストリングシステムは少なくとも１つ以上の平行なライトストリング／ライトストリップを備え、前記ライトストリング／ライトストリップは、前記ラインホール内で引き伸ばされた後、１つのストリップまたはラインに沿って前記中間固定部まで伸延し、その後他のストリップまたはラインに沿って前記第１固定部に近い位置まで延び伸延して花火の破裂状態を形成するようにしたことを特徴とする請求項５に記載の膨張式装飾システム。
【請求項１２】
前記バッグ本体が膨張するときの最大寸法を制限するための補強部をさらに備え、前記補強部は、少なくとも１つのラインもしくはストリップまたは前記ラインと前記ストリップとの混合体を含み、前記補強部が前記複数の第１固定部間で接続されていることを特徴とする請求項１に記載の膨張式装飾システム。
【請求項１３】
前記補強部の前記少なくとも１つのラインもしくはストリップまたは前記ラインと前記ストリップとの混合体は、１つの中間固定部分と、前記中間固定部分から伸延する複数のストリップまたはラインを形成し、前記複数のストリップまたはラインの末端は、それぞれ前記複数の第１固定部分に接続されていることを特徴とする請求項９に記載の膨張式装飾システム。
【考案の詳細な説明】
【技術分野】
【０００１】
本考案は、装飾システムに関し、特にライトストリングシステムを有する膨張式装飾システムに関する。
【背景技術】
【０００２】
装飾ライトストリングは、様々な場面で用いられている。外面に吊るされたライトストリングを備える既存の膨張式バルーンは、子供たちにとって非常にポピュラーであるが、ライトストリングは外面に吊るされている。したがって、ライトストリングは容易に引き抜かれたりバルーンから落下したりするので、貧相な形状となったり壊れたりする。膨張室内に配置されたライトストリングを備える膨張式装飾システムも存在する。例えば、中国実用新案登録出願（出願日２０１６年６月２０日、出願番号２０１６２０６０５２４３．２）は、膨張式ランタンを開示する。そのライトストリングは、膨張式ランタンの中で、ストリップを吊るす１つのライトに固定され、ブラケットを搭載する螺旋ライトが、ライトハングストリップに吊るされるので、ライトストリングは、膨張式ランタンの内側に固定され外部からの影響を受けない。
【先行技術文献】
【特許文献】
【０００３】
【特許文献１】ＣＮ  ２０６０５５５５２Ｕ
【考案の概要】
【考案が解決しようとする課題】
【０００４】
しかしながら、この態様で固定されたライトストリングは、ランタンの内部でぐらつき易く、不安定かつ単一の形状である。これらの技術的問題を解決するために、本願考案は、形状が変化可能であるとともに安定的に形状を保つことが可能な膨張式装飾システムを提供することを目的とする。
【課題を解決するための手段】
【０００５】
上記課題を解決するための構成として、膨張式装飾システムが、ラインホールを画定し、かつ膨張ポートを備える膨張可能な中空のバッグ本体と、バッグ本体の内面に配置され、それぞれが穿孔またはフック部を有する複数の第１固定部と、ライトストリングシステムとを含む構成とした。ライトストリングシステムの少なくとも一端がラインホールを通ってバッグ本体の外に伸延し、ライトストリングシステムの残りの部分がバッグ本体の内側に配置されて複数の第１固定部間に固定され、これにより、バッグ本体が膨張した後、ライトストリングシステムがバッグ本体内で予め設定された形状に展開する。
【０００６】
また他の構成として、膨張式装飾システムが、複数のストリップまたは複数のラインとを備える構成とした。複数のストリップまたはラインは、少なくとも１つの中間固定部と複数の第１固定部との間に接続されるか、または複数の第１固定部間に同時に接続されるとともに、膨張式装飾システムが複数の中間固定部を備える場合には、複数の中間固定部間に同時に接続される。バッグ本体が膨張した後、複数のストリップまたはラインがバッグ本体内で予め設定された第2の形状に展開してバッグ本体の最大寸法を制限するように構成した。
【０００７】
また、他の構成として、複数の第２固定部が少なくとも１つの中間固定部上に形成され、各第２固定部が穿孔またはフック部を有する構成とした。
【０００８】
また、他の構成として、複数のストリップまたはラインの両端にフックが設けられ、複数のストリップまたはラインがフックによって第１の固定部および第２の固定部に接続される構成とした。
【０００９】
また、他の構成として、中間固定部が球体であり、複数の第２固定部が球体の外面に形成されている構成とした。；また、外面に複数の円環が設けられた球体であり、複数の第２固定部が、複数の円環上に配置されている構成とした。また、互いに連結された複数の円環を備え、複数の第２固定部は複数の円環上に配置される構成とした。さらに、複数の中空部が中間固定部に形成されており、複数の中空部間のリブが複数のストリップまたはラインを固定するために複数の第２固定部として用いられる構成とした。
【００１０】
また、他の構成として、１つの中間固定部が設けられる場合、各ストリップまたはラインが１つの第１固定部と１つの第２固定部との間に接続され、ライトストリングシステムが少なくとも１つの平行なライトストリング／ライトストリップを備え、ライトストリング／ライトストリップは、ラインホール内で引き伸ばされた後に１つのストリップまたはラインに沿って中間固定部分に伸延し、他のストリップまたはラインに沿って第１の固定部分の近傍位置まで伸延した後に中間固定部分まで折り返し、このようにしてすべてのストリップまたはラインに沿って伸延し、最終的に第１のストリップまたはラインに沿ってラインホールに戻り、ラインホールから伸延して、花火の爆発状態を形成するように構成した。
【００１１】
他の構成として、各ストリップまたはラインに透明ホースを被せて、ホース内のストリップまたはライン上に固定されたライトストリングシステムの一部を保護する構成とした。
【００１２】
また、他の構成として、１つの中間固定部が設けられている場合、各ストリップまたはラインは１つの第１固定部と１つの第２固定部との間に接続され、ライトストリングシステムは少なくとも１つ以上の平行なライトストリング／ライトストリップを備え、ライトストリング／ライトストリップは、ラインホール内で引き伸ばされた後、１つのストリップまたはラインに沿って中間固定部まで伸延し、その後他のストリップまたはラインに沿って第１固定部に近い位置まで延び伸延して花火の破裂状態を形成する構成とした。
【００１３】
また、他の構成として、バッグ本体が膨張するときの最大寸法を制限するための補強部をさらに備え、補強部は、少なくとも１つのラインもしくはストリップまたはラインとストリップとの混合体を含み、補強部が複数の第１固定部間で接続されている構成とした。
【００１４】
また、他の構成として、補強部の少なくとも１つのラインもしくはストリップまたはラインとストリップとの混合体は、１つの中間固定部分と、中間固定部分から伸延する複数のストリップまたはラインとを形成し、複数のストリップまたはラインの末端は、それぞれ複数の第１固定部分に接続されている構成とした。
【考案の効果】
【００１５】
本考案では、複数の第１固定部が、膨張式装飾システムのバッグ本体の内壁に配置される。ライトストリングは、複数の第１固定部間に固定されるので、バッグ本体の膨張後にライトストリングは所定の形状に展開する。ライトストリングは、複数の固定部間に直接吊るされてもよく、強化ストリップもしくは強化ラインにより複数の固定部間に固定されてもよい。バッグ本体の膨張後にライトストリングが展開して、中央から外側に照らす花火の表示形状、クリスマスツリー形状や複数の星や月を含む形状等の所定の形状を形成する。これらの形状は、上記に限定されるものでなく、変形可能かつ安定的である。
【００１６】
上記考案の概要は、本考案の必要な特徴の全てを列挙したものではなく、特徴群を構成する個々の構成もまた考案となり得る。
【００１７】
図面および後述する複数の本考案の実施形態の記載を参照することで、上述の記載およびその他の目的ならびに本考案の特徴や利点を更に理解することが可能となる。
【図面の簡単な説明】
【００１８】
【図１】第１の実施形態に係る膨張式装飾システムを示す構造的模式図である。
【図２】第１の実施形態に係る膨張式装飾システムのバッグ本体、中間固定部および強化ストリップを示す透視図である。
【図３】第１の実施形態に係る膨張式装飾システムの部分的構造を示す拡大図である。
【図４】図１における膨張式装飾システムの第１固定部を示す構造的模式図である。
【図５】従来のライトストリングを示す構造的模式図である。
【図６】従来のライトストリップ（ＬＥＤストリップライト）を示す構造的模式図である。
【図７】第１の実施形態に係る膨張式装飾システムの中間固定部の変形例を示す構造的模式図である。
【図８】第１の実施形態に係る膨張式装飾システムのライトストリングの展開方向を示す構造的模式図である。
【図９】第１の実施形態の変形例に係る膨張式装飾システムのライトストリングの展開方向を示す模式図である。
【図１０】第１の実施形態に係る膨張式装飾システムの強化ストリップおよびライトストリングの固定態様を示す模式図である。
【図１１】第２の実施形態に係る膨張式装飾システムを示す構造的模式図である。
【図１２】第３の実施形態に係る膨張式装飾システムの中間固定部を示す構造的模式図である。
【図１３】第４の実施形態に係る膨張式装飾システムの中間固定部を示す構造的模式図である。
【図１４】第５の実施形態に係る膨張式装飾システムの中間固定部を示す構造的模式図である。
【図１５】実施形態に係る膨張式装飾システムの第１固定部を示す構造的模式図である。
【図１６】実施形態に係る膨張式装飾システムの中間固定部を示す構造的模式図である。
【考案を実施するための形態】
【００１９】
以下、図面を参照し、複数の考案の実施形態を通じて本考案を詳説するが、以下の実施形態は特許請求の範囲に係る考案を限定するものではなく、また実施形態の中で説明される特徴の組み合わせの全てが考案の解決手段に必須であるとは限らない。
【００２０】
第１の実施形態
図１〜図３を参照すると、本考案の第１の実施形態に係る膨張式１００は、膨張可能で中空のバッグ本体１０と、中間固定部２０と、バッグ本体１０および中間固定部２０に接続する複数の強化ストリップ３０と、ライトストリングシステム４０、ライトストリング４０に接続するコントローラー５０と、コントローラー５０に接続する拡声器６０とを主に備える。コントローラー５０と拡声器６０はバッグ本体の外側に位置する。
【００２１】
便宜上、図１は、中空のバッグ本体１０を前部および後部から切り離して中間部のみ残し、ライトストリングシステム４０の中間部分の断面にある強化ストリップ３０とライトストリングシステム４０のみ示す。すなわち、バッグ本体１０の前部および後部に位置する強化ストリップ３０およびライトストリングシステム４０は省略する。図２は、バッグ本体１０、バッグ本体１０が膨張状態にある中間固定部２０および強化ストリップ３０のみを示す概略的な立体図である。図３は、バッグ本体１０の一部と、中間固定部２０と、バッグ本体１０と中間固定部２０との間に接続される１つの強化ストリップ３０を示す構造的模式図である。
【００２２】
バッグ本体１０は透過性プラスティック材、例えば、ＰＶＣ（ポリ塩化ビニル）により形成され、膨張ポート１１およびラインホール１２が設けられる。膨張ポート１１は封止キャップを備える従来の膨張ポートで、浮き輪に備えられる一般的な膨張ポートと同一又は類似する。ラインホール１２はライトストリングシステム４０の電力線として用いられる。電力線およびラインホール１２間の隙間は、シリコン材や樹脂材などの気密材により封止される。これにより、膨張ポート１１は、膨張および収縮ポートとして機能する。バッグ本体１０は単層バッグ体であり、膨張後には球体となる。相互に独立する複数の第１固定部１３は、ほぼ均一にバッグ本体の内壁（内面）に固定される。すなわち、第１固定部１３は膨張したバッグ本体の中心に対して約３６０°で配置される。ラインホール１２およびラインホール１２の封止する部材は第１固定部１３として機能する。
【００２３】
図４を参照すると、本実施形態において、それぞれの第１固定部１３は、環状ベース体１３１と、バッグ本体１０の内面に接続する面と、ストリップ１３２に接続する他面を備える。ストリップ１３２の両端が環状ベース体１３１に接続されることで、穿孔１３３がストリップ１３２とベース体１３１との間に形成される。ベース体１３１およびストリップ１３２の素材は、バッグ本体１０の素材と同じであることが好ましい。ベース体１３１は、ホットプレスによりバッグ本体１０の内壁に固着されるが、バッグ本体１０の内壁に一体的に固着しても、ベース体１３１の外面のみをバッグ本体１０の内壁に固着してもよい。
【００２４】
中間固定部２０は、中空の球体２１と、球体２１に配置される複数の第２固定部２２を備える。第２固定部２２は、球体２１から突出する突出部であり、穿孔２２１が第２固定部２２に形成される。中間固定部２０は、熱硬化性プラスティックにより成形されるが、金属あるいはプラスティック材により成形しても良い。中間固定部２０上の複数の第２固定部２２は、球体２１の中心から３６０°で均一に配列されることが好ましい。
【００２５】
また、均一に配列することに代えて、第２固定部２２を一定の規則性に従って配置してもよい。たとえば、図７に示すように、たとえば、中間固定部２０´の複数の第２固定部２２′を球体２１′の表面上に環状に配置しても良い（図７における鎖線で示す環２４）。環２４は、対向する２つの端点で交差し、環２４および第２固定部２２′は、２つの端点に対して回転対称である。
【００２６】
複数の強化ストリップ３０は、バッグ本体１０の内面上の第１固定部１３と中間固定部２０の表面上の第２固定部２２との間でそれぞれ接続される。これにより、強化ストリップ３０は、バッグ本体１０が膨張した後に、バッグ本体１０内の所定の位置に中間固定部２０が位置することを規制するとともに、バッグ本体１０の最大寸法を規制する。強化ストリップ３０は、ファイバー、金属もしくは合金、または軟質プラスティック（たとえば、熱可塑性物質）等から成る。第１の実施形態では、２つのフック部３２がそれぞれ各強化ストリップ３０の両端に固定される。２つのフック部３２は、第１固定部１３と第２固定部２２を留め、中間固定部２０をバッグ本体１０の中央まで規制する（バッグ本体１０が膨張した後）。
【００２７】
図５に示すように、ライトストリングシステム４０は、対撚線に接続する複数のライトバルブ４０１を有する１つのライトストリングを備える。ライトストリングシステム４０は、長尺ストリップベース上に複数のＬＥＤチップ４０３を有する２以上のライトストリップを備えても良い。
【００２８】
本実施形態では、ライトストリングシステム４０は、長尺ストリップベース上に複数のＬＥＤチップ４０３を有する複数のライトストリップを備える。ライトストリングシステム４０の端部は、バッグ本体１０のラインホール１２からバッグ本体１０の外側に延長するが、残りの部分はバッグ本体１０の内側に配置され、強化ストリップ３０により複数の第１固定部１３の間に固定される。これにより、バッグ本体１０が膨張した後に、ライトストリングシステム４０は、バッグ本体１０内において所定の形状に広がる。上述のように、本実施形態では、ライトストリングシステム４０は、電力線に接続する複数のライトストリップを有する。それぞれのライトストリップは、長尺帯状のフレキシブル基板（ベース）とフレキシブル基板上に固定されたＬＥＤチップを備える。それぞれのフレキシブル基板の長さは、強化ストリップ３０の長さより短い。組み立てを容易にするために、それぞれのフレキシブル基板の背面は強化ストリップ３０に糊付けされる。図８にて矢印で示すように、ライトストリップ間の回路接続を設定することで、中央から外側に向かってライトバルブ／ＬＥＤチップが段階的にライトアップされる。これにより、環境的かつ親しみのある花火が認識される。
【００２９】
他の変形例として、対撚線と、対撚線に対して直列もしくは並列に接続されたライトバルブを有するライトホルダーとを有するクリスマスツリーライトストリングを用いても良い。図９を参照すると、ライトストリングは、強化ストリップ３０の一方の面に糊付けされ、ラインホール１２に近接し中間固定部２０に延長する。他の強化ストリップ３０の一方の面に糊付けされるとともに強化ストリップ３０の他方の面に糊付されることで、第１固定部１３に近接する位置に展開した後に、全ての強化ストリップ３０に沿って中間固定部２０まで延長し、最終的にラインホール１２に戻りラインホール１２の外側に延長して全体的に花火の爆発状態を作る。図９の矢印は、ライトストリングシステム４０のライトストリングの展開態様を示す。
【００３０】
図１０に示すように、ライトストリングシステム４０および強化ストリップ３０は接着剤７０により固定される。固定および搭載を簡易にするために、ライトストリングシステム４０および強化ストリップ３０を両面テープにより固定してもよい。
【００３１】
ライトストリングシステム４０は、簡易に固定でき所定のライティングモードを認識しうる限り、既存の様々なタイプのライトストリングやライトストリップであっても良い。たとえば、ライトストリングシステム４０は、２０１８年１月３１日に出願の中国特許出願２０１８１００９８２６１．Ｘに開示される３本のライトストリングを有しても良い。他の実施形態では、図８や図９に示すようなルートに沿っています延長し固定される２つ以上のライトストリングやライトストリップを備えても良い。
【００３２】
本実施形態では、ライトストリングシステム４０を保護するために、さらに透明ホース３４を各強化ストリップ３０に被せる。強化ストリップ３０に固定されたライトストリング／ライトストリップの一部は、透明ホース３４により保護される。
【００３３】
ライトストリングシステム４０および強化ストリップ３０の両端は、ラインホール１２からバッグ本体１０の外に延長する。ライトストリングシステム４０は外部コントローラー５０と電気的に接続され、また強化ストリップ３０は外部コントローラー５０と機械的に接続され、電力線の安全を確保する。コントローラー５０は、ライトストリングシステム４０をライトアップしたり消したりするように設計され、ライトストリングシステム４０が複数の動作モードを有する場合にはライトストリングシステム４０の動作モードを制御する。本実施形態では、コントローラー５０は、ライトストリングシステム４０の動作に応じて対応する音を出力して特定の効果を創出する拡声器６０に接続される。たとえば、ライトストリングシステム４０から発光する光が花火表示の効果と類する場合、コントローラー５０は、拡声器６０を制御して花火が表示される間に対応する音を出力する。これにより、視覚的効果とサウンド効果を作り出す。外部電源の簡易化として、コントローラー５０は外部電源を認識する電力コネクター８０に接続してもよい。この場合、複数の膨張式装飾システムは、１つのコントローラー５０および１つの拡声器６０を用いても良く、あるいは個別のコントローラーや拡声器６０をそれぞれ膨張式装飾システム１０に備えてもよい。バッテリーをコントローラー５０に配置して自己電力供給しても良い。
【００３４】
他の実施形態では、透明ホース３４を省略しても良い。
【００３５】
他の実施形態では、拡声器６０を省略しても良い。
【００３６】
他の実施形態では、コントローラー５０をラインホール１２近傍に配置し、あるいはラインホール１２に固定しても良い。
【００３７】
例えば、図１１に示すように第２の実施形態では、膨張式装飾システム１００’と膨張式装飾システム１００とでは、膨張式装飾システム１００’のコントローラー５０’が実質的に円柱状であり、バッグ本体１０のラインホール１２’の内側に延長してラインホール１２’を封止することが可能な円柱を含む点で異なる。ライトストリングシステム４０は、バッグ本体１０に伸びるコントローラー５０’の一端から外側に延長する。従来の把持ハンドル９０はバッグ本体１０の外側に位置するコントローラー５０’の端面から外側に延長する。本実施形態における膨張式装飾システム１００’と膨張式装飾システム１００とでは、さらに拡声器と電力コネクターが省略される点で異なるが、その他の部材は同一である。
【００３８】
図１２に示すように、第３の実施形態と第１もしくは第２の実施形態とでは、中間固定部が主に異なる。本実施形態では、中間固定部２０’’は、中空の球体２１’’と球体２１’’の表面から突出する複数の突出リブ２４’を備える。複数の突出リブ２４’はそれぞれ球体２１’’の対向する２つの終端に接続し、球体２１’’の対向する２つの端部にて交差する複数のリングを形成する。さらに、中間固定部２０’’は、突出リブ２４’に配置される複数の第２固定部２２’’を備える。複数の穿孔２２１’’が第２固定部２２’’に形成される。中間固定部２０’’は、熱硬化性プラスティックにより一体的に形成しても良い。また、中間固定部２０’’は、金属屋根プラスティック材等からなる。突出リブ２４’および第２固定部２２’’は、球体２１’’を貫く２つの対向点の軸に対して回転対称である。
【００３９】
図１３は、第３の実施形態の変形例と第４の実施形態を示す。第４の実施形態における中間固定部２０’’’と第３の実施形態における中間固定部２０’’とでは、中空の球体が省略され、突出リブ２４’’および複数の第２固定部２２’’’のみが含まれる点で異なる。
【００４０】
中間固定部は中空の球体でもよく、他の実施形態における強化ストリップの両端にてフック部（図２に示すようなフック部３２）を接続するために隣接する中空部間のリブを用いてもよい。
【００４１】
全ての中間固定部は、変形困難な素材から成り、上述の実施形態では安定的である。フック部３２に接続可能な複数の第２固定部を有する中間固定部は、柔らかい繊維素材により編んでもよい。また、会いこまれた中間固定部は、柔らかくても硬くてもよい。バッグ本体が十分に膨張した後に、中間固定部は、強化ストリップが伸展可能な限り展開することが可能である。
【００４２】
たとえば、図１６に示すように、中間固定部２６は柔らかい繊維ワイヤーで編みこまれている。複数のワイヤー２７は中間固定部２６から外に延長し、第１の実施形態における強化ストリップ３０と同様の強化ライン／ロープとして機能する。複数のワイヤー２７の自由端はフック部に接続し、第１固定部に接続する。この態様においては、第２の固定部を省略する。
【００４３】
上述の実施形態において、バッグ本体の内壁上の複数の第１固定部は相互に独立する。隣接する第１固定部は接続され、他の実施形態におけるバッグ本体の張力を高める。
【００４４】
１つの中間固定部のみがバッグ本体の中間に配置されるとともに、第１固定部はバッグ本体の内壁に均等に配置される。２以上の中間固定部を用いても良く、バッグ本体の内側の中間固定部の位置を規制するために（バッグ本体の膨張後）強化ストリップを中間固定部間に接続しても良い。第１固定部は、所望の形状に設計可能である。また、強化ストリップは複数の第１固定部間または強化ストリップおよび第１固定部間で同時に接続してもよい。複数のストリップもしくはラインは、第２の所定の形状や第３の所定の形状等に展開し、バッグ本体の最大寸法はバッグ本体にガスが充填されたのちに規制される。様々な形状が実現可能である。
【００４５】
たとえば、図１４は、バッグ本体の断面形状において強化ストリップと中間固定部のみを示し、他の位置の強化ストリップや図１４に示す第５の実施形態におけるライトストリングシステムを示していない。第５の実施形態における膨張式装飾システム２００と第１の実施形態とでは、中間固定部の数と強化ストリップの接続態様が主に異なる。本実施形態では、２つの中間固定部２２０を膨張式装飾システム２００のバッグ本体２１０に配置した。強化ストリップ２３０は、２つの中間固定部２２０を接続するために用いられる。図１４に示すように、バッグ本体の内壁上で２つの中間固定部２２０を第１固定部２１３と接続し、さらに上側と下側の隣接する強化ストリップ２３０を接続することで、１対の強化ストリップ２３０は、バッグ本体２１０の膨張後にツリー状に展開し、ライトストリングシステムはライトアップされ、１対の強化ストリップ２３０のライトストリング／ライトストリップを固定することで、ツリー状の全体形状を表す。
【００４６】
上述の実施形態では、第１固定部は、円環状のベース体およびストリップから構成される。他の実施形態では、ベース体を省略してもよく、また、穿孔を有する第固定部を形成するために、ストリップをバッグ本体の内面に直接接続しても良い。また、ベース体は、円環状のシート形状ではなく、四角や楕円形のシート形状であってもよい。第１固定部は、バッグ本体の内面に溶融接続される吸盤であってもよい。吸盤の自由端には穿孔もしくはフック部が設けられる。また、ストリップに代えて、硬化性プラスティックから形成されるフック部を用いて、フック部の両端をベース体に固定する。図１５に示すように、第１固定部１３’は、環状のベース体１３１’と、バッグ本体の内面に固定される一方の面と、ストリップ１３２’に固定される他方の面を備えても良い。ストリップ１３２’の両端は、ベース体１３１’に接続されるので、穿孔がストリップ１３２’とベース体１３１’の間に形成される。フック１３４はストリップ１３２’に引っかかる。
【００４７】
上述の実施形態では、バッグ本体は単層であるが、他の実施形態では２層や多層であってもよい。
【００４８】
他の実施形態では、強化ストリップの一部あるいは全部を、狭幅を有するライン／ロープに代えても良い。また、膨張後にバッグ本体の最大寸法を制限する役割やライトストリングシステムを過剰に引き抜かられることを防止する機能を果たす限り、強化ストリップの一部あるいは全部を、他の構成に形成してもよい。
【００４９】
バッグ本体におけるライトストリングシステムの固定態様は、ライトストリングシステムがバッグ本体に固定されるとともに膨張後に所定の形状である限り、上述の実施形態に限定するべきではない。
【００５０】
強化ストリップもしくはラインは省略してもよく、ライトストリングシステムを第２固定部および第１固定部との間に直接固定してもよい。
【００５１】
中間固定部は省略してもよく、ライトストリングシステムの様々な部位を互いに接続してバッグ本体の形状を制限してもよい。
【００５２】
穿孔に代えて、硬いフック部を第２固定部に形成してもよい。
【００５３】
強化ストリップもしくはラインの両端のフックは省略してもよく、強化ストリップもしくはラインを第１固定部および第２固定部に直接接続してもよい。
【００５４】
ライトストリングシステムは、中央接続部と、中央接続部から展開する複数のライトストリップを備える。それぞれのライトストリップは、１つの強化ラインもしくはストリップに固定され、電力製や制御線により中央接続部は外部のコントローラーに接続される。
【００５５】
また、「第１の」および「第２の」という用語は、記載の便宜上使用しているだけで、相対的な重要度を指示あるいは暗示している、または技術的特徴の数を明確に示していると解釈してはならない。したがって、「第１」および「第２」と定義される特徴は、１以上の特徴を明確に指示あるいは暗示的に包含していてもよい。用語「複数の」は、特定の定義が無い限り、本明細書においては２以上を意味する。
【００５６】
明示的な陳述や定義づけが無い限り、「搭載」、「リンク」、「接続」等の用語は、広く解釈されるべきである。たとえば、用語「接続」は、固定的接続、脱着式接続あるいは一体的接続でもよく、機械的接続や電気的接続であってもよく、また直接的接続、中間媒体を介した間接的接続、２つの要素の内的連通や２つの要素の相互作用であってもよい。当業者にとって、本考案における上述の用語の特定の意味は、特定の条件に従って理解可能である。
【００５７】
本考案は、上述の実施形態に記載されるが、当業者は上述の内容に基づき多くの置換、改変および変更をすることが可能である。したがって、全ての置換、改良および変更は添付の特許請求の範囲内に含まれる。
【００５８】
本考案は複数の実施形態に記載される一方で、当業者は、本考案は特許請求の範囲内において改変することで実施することを認識する。また、審査段階において補正がなされた場合であっても、出願人は全ての構成要素の均等物を含むことを意図している。
【図１】
0003223764.tif 000003
【図２】
0003223764.tif 000004
【図３】
0003223764.tif 000005
【図４】
0003223764.tif 000006
【図５】
0003223764.tif 000007
【図６】
0003223764.tif 000008
【図７】
0003223764.tif 000009
【図８】
0003223764.tif 000010
【図９】
0003223764.tif 000011
【図１０】
0003223764.tif 000012
【図１１】
0003223764.tif 000013
【図１２】
0003223764.tif 000014
【図１３】
0003223764.tif 000015
【図１４】
0003223764.tif 000016
【図１５】
0003223764.tif 000017
【図１６】
0003223764.tif 000018